(57)【特許請求の範囲】
【請求項１】
望遠光学系の対物光学系の所定レンズを保持する第１保持部材と、少なくとも接眼光学系を保持する第２保持部材とを共に、該光学系の光軸と平行に直線上に延びる支持部材により支持すること、を特徴とする双眼鏡。
【請求項２】
前記支持部材は軸部材であること、を特徴とする請求項１に記載の双眼鏡。
【請求項３】
前記第１及び／または第２保持部材は、前記支持部材を中心とする回転を規制されること、を特徴とする請求項１又は２に記載の双眼鏡。
【請求項４】
前記対物光学系の前記所定レンズは、該対物光学系の最も前方のレンズであること、を特徴とする請求項１から請求項３のいずれかに記載の双眼鏡。
【請求項５】
前記第２の保持部材は、正立光学系をさらに保持すること、を特徴とする請求項１から請求項４のいずれかにに記載の双眼鏡。
【請求項６】
望遠光学系の対物光学系の所定レンズを保持する第１保持部材と、少なくとも接眼光学系を保持する第２保持部材とを、該光学系の光軸と平行に直線上に延びる支持部材により支持し、
前記第１の保持部材の移動によって視度差調整が行われ、前記第２の保持部材の移動によって焦点調整が行われること、を特徴とする双眼鏡。
【請求項７】
前記支持部材は軸部材であること、を特徴とする請求項６に記載の双眼鏡。
【請求項８】
前記保持部材は、前記支持部材を中心とする回転を規制されること、を特徴とする請求項６又は７に記載の双眼鏡。
【請求項９】
前記第２の保持部材は、正立光学系をさらに保持すること、を特徴とする請求項８に記載の双眼鏡。
【請求項１０】
前記対物光学系の前記所定レンズは、該対物光学系の最も前方のレンズであること、を特徴とする請求項６から請求項８のいずれかに記載の双眼鏡。
【発明の詳細な説明】
【０００１】
【発明の属する技術分野】
本発明は双眼鏡に関するものであり、より詳細には、一つの望遠光学系に属する複数のレンズを移動する双眼鏡に関するものである。
【０００２】
【従来の技術】
従来より、一つの望遠光学系に属する複数のレンズを夫々の光軸方向に移動することによって、焦点調整を始めとする各種調整を行う双眼鏡が知られている。
【０００３】
【発明が解決しようとする課題】
しかしながら、このような双眼鏡では、複数のレンズの移動に伴い各レンズの光軸が互いにずれる可能性があった。
【０００４】
本発明は、上記の事情に鑑み、焦点調整等のためのレンズ移動に伴うレンズ光軸のずれを防止することができる双眼鏡を提供することを目的とするものである。
【０００５】
【課題を解決するための手段】
上記の目的を達成するため、本発明の双眼鏡は、望遠光学系のうち所定の光学系を保持する保持部材を、該光学系の光軸と平行に直線上に延びる支持部材により支持するよう構成したものである。
【０００６】
このように構成すれば、保持部材が常に直線上を移動するため、焦点調整等により保持部材が移動した場合でも、上記の所定の光学系の光軸のずれが防止される。なお、上記の支持部材を軸部材とすれば、構成がより簡単になる。
【０００７】
また、保持部材が、支持部材を中心とする回転を規制されるよう構成することも可能である。このように構成することによって、支持部材（軸部材等）回りに保持部材が回転することによる光軸のずれが防止される。
【０００８】
なお、保持部材を、一方の望遠光学系に少なくとも２つ設けることもできる。この場合、当該保持部材は、対物光学系の所定レンズを保持する第１保持部材と、少なくとも接眼光学系を保持する第２保持部材とから構成することが可能である。このように構成することによって、第１及び第２の保持部材が直線上にあるため、焦点調整等により各保持部材が移動した場合にも、夫々の光学系の光軸のずれが防止される。
【０００９】
また、第１の保持部材の移動によって視度差調整を行い、第２の保持部材の移動によって焦点調整を行うよう構成しても良い。このように構成すれば、焦点調整及び視度差調整に伴う各光学系の光軸のずれが防止される。
【００１０】
【発明の実施の形態】
以下、本発明の実施の形態を説明する。
本実施形態の双眼鏡は、左右の望遠光学系を双眼鏡の幅方向中心部に対して対称に移動させて眼幅調整を行うよう構成されたものであり、両接眼部の間隔の大小に係わらず、焦点調整用の操作部材が双眼鏡の幅方向中心部に位置するよう構成されたものである。以下、図面を参照して詳説する。
【００１１】
図１は、本実施形態の双眼鏡１を示す斜視図である。双眼鏡１は、双眼鏡の幅方向中心部に対して対称に移動可能な左右一対の鏡体（ケーシング）２１，２２と、両鏡体を支持する支持フレーム２５が設けられている。
【００１２】
図２は、双眼鏡１の光学系を示す図である。双眼鏡１は、接眼レンズと対物レンズが同一直線上に配置された、所謂ダハプリズムタイプの双眼鏡である。図２に示すように、双眼鏡１の左右の鏡体２１，２２には、左右一対の望遠光学系１０Ｌ，１０Ｒが収容されている。各望遠光学系１０Ｌ，１０Ｒは、図中一点鎖線で示す入射光軸ＯＡL，ＯＡRに沿って、第１レンズ１１Ｌ，１１Ｒ、補助プリズム１２Ｌ，１２Ｒ、ダハプリズム１３Ｌ，１３Ｒ、及び第２レンズ１４Ｌ，１４Ｒ、接眼レンズ１５Ｌ，１５Ｒからなっている。
【００１３】
第１レンズ１１Ｌ，１１Ｒ及び第２レンズ１４Ｌ，１４Ｒは、夫々対物光学系を形成しており、当該対物光学系により像が形成される位置に視野枠１６Ｌ，１６Ｒが設けられている。対物光学系により形成された像は、接眼レンズ１５Ｌ，１５Ｒにより拡大され、観察される。
【００１４】
次に、図１に示す左右一対の鏡体２１，２２を、双眼鏡の幅方向中心部に対して対称に移動可能とするための構成について説明する。なお、以下の説明では、双眼鏡の対物側（被写体に近い側）を前方、接眼側（観察者に近い側）を後方と呼ぶ。また、図２における光軸ＯＡL，ＯＡRに平行な方向は、単に「光軸方向」と呼ぶ。
【００１５】
図３は、双眼鏡１のフレーム構造を示す分解斜視図である。左右一対の鏡体２１，２２を移動可能に支持するための支持フレーム２５（図１）は、平行な２枚の板部材である底板４１と天板４２、及び底板４１と天板４２の間に設けられ双眼鏡の高さ方向の支柱となる中央支持体４５によって、横Ｈ字型のフレームとして構成されている。
【００１６】
左右の望遠光学系１０Ｌ，１０Ｒ（図２）の各レンズ及びプリズム（図３では夫々光軸ＯＡL，ＯＡRで示す）は、底板４１と天板４２の間で双眼鏡幅方向に移動可能に設けられた左右一対のスライドフレーム３１，３２に支持される。また、当該スライドフレーム３１，３２には、観察者に把持される部分である左右一対の外装ケース５１，５２が固定される。この左右のスライドフレーム３１，３２及び外装ケース５１，５２が、図１の鏡体２１，２２を構成する。
【００１７】
図４は、左右のスライドフレーム３１，３２、及び両スライドフレームを支持する底板４１を示す斜視図である。スライドフレーム３１，３２は、夫々中央部に開口３１２，３２２が形成された左右一対の板状部材である。スライドフレーム３１，３２の夫々双眼鏡左端及び右端に相当する端部は、鉛直上向きに屈曲され、側壁部３１１，３２１を形成している。
【００１８】
スライドフレーム３１の前端及び後端には、側壁部３１１から所定距離の位置に、鉛直方向上方に起立する一対の起立部３１３，３１４が形成されている。側壁部３１１と起立部３１３，３１４との間で、左側の望遠光学系１０Ｌ（図２）が保持される。同様に、スライドフレーム３２の保持部３２０の前端及び後端には起立部３２３，３２４が形成され、側壁部３２１と起立部３２３，３２４との間で、右側の望遠光学系１０Ｒ（図２）が保持される。
【００１９】
スライドフレーム３１の両起立部３１３，３１４の間には、前後方向に延びる案内軸３１５が掛け渡され、スライドフレーム３２の両起立部３２３，３２４の間には、前後方向に延びる案内軸３２５が掛け渡されている。両案内軸３１５，３２５は、接眼光学系及びプリズムを前後方向に移動させる際の案内を行うものである（詳細は後述する）。
【００２０】
スライドフレーム３１の前端及び後端近傍には、双眼鏡幅方向に延びる案内溝３１０ａ，３１０ｂが夫々形成されている。同様に、スライドフレーム３２の前端及び後端近傍には、双眼鏡幅方向に延びる案内溝３２０ａ，３２０ｂが夫々形成されている。
【００２１】
底板４１の四隅には、４本のピン４１３，４１４，４１５，４１６が植設され、夫々スライドフレーム３１の案内溝３１０ａ，３１０ｂとスライドフレーム３２の案内溝３２０ａ、３２０ｂに係合する。案内溝３１０ａ，３１０ｂ、３２０ａ、３２０ｂとピン４１３，４１４，４１５，４１６との係合により、スライドフレーム３１，３２は、底板４１上で双眼鏡幅方向にのみ移動可能に位置規制される。
【００２２】
スライドフレーム３１の右端からは、スライドフレーム３２に向けて平行な一対の延出部３３１，３３２が延びており、スライドフレーム３２の左端からは、スライドフレーム３１に向けて一対の延出部３４１，３４２が延びている。
延出部３３１，３３２には双眼鏡の幅方向に延びる係合溝３３３，３３４が夫々形成され、同様に、延出部３４１，３４２には係合溝３４３，３４４が夫々形成されている。
【００２３】
図５に、スライドフレーム３１，３２を底板４１に取り付けた状態を示す。スライドフレーム３１，３２を底板４１に取り付けると、スライドフレーム３１の延出部３３１，３３２とスライドフレーム３２の延出部３４１，３４２とは、スライドフレーム３２側を上にして夫々重なるように配置される。
【００２４】
スライドフレーム３１の係合溝３３３とスライドフレーム３２の係合溝３４３には、底板４１の双眼鏡幅方向中央に植設されたピン４１１が係合し、スライドフレーム３１の係合溝３３４とスライドフレーム３２の係合溝３４４には、底板４１の双眼鏡幅方向中央に植設されたピン４１２が係合している。ピン４１１，４１２と各係合溝の係合により、スライドフレーム３１，３２は双眼鏡幅方向に案内される。
【００２５】
中央支持体４５は、底板４１の幅方向中央部において、スライドフレーム３１，３２の各延出部に跨るように配置される。スライドフレーム３１の延出部３３１、及びスライドフレーム３２の延出部３４２には、夫々ラック３３５，３４５が互いに向き合って形成されており、両ラック３３５、３４５は中央支持体４５の下部に設けられたピニオン３６に係合している。
【００２６】
また、図３に示すように、スライドフレーム３１の起立部３１３，３１４の上端面３１３ａ，３１４ａ、及びスライドフレーム３２の起立部３２３，３２４の上端面３２３ａ，３２４ａは、天板４２の下面に当接する当接面となっている。このように、スライドフレーム３１，３２は底板４１及び天板４２により鉛直方向に位置規制される。
かくして、スライドフレーム３１，３２は、底板４１と天板４２及び中央支持体４５よりなる横Ｈ型の支持フレーム２５によって双眼鏡の幅方向にスライド可能に支持される。
【００２７】
図６は、底板４１上でのスライドフレーム３１，３２のスライド状態を示す平面図である。スライドフレーム３１，３２は、底板４１に植設された各ピン４１３，４１４，４１５，４１６と、案内溝３１０ａ，３１０ｂ，３２０ａ，３２０ｂとの係合によって、双眼鏡幅方向にのみスライド可能となっている。さらに、ピニオン３６がスライドフレーム３１，３２のラック３３５，３４５に係合しているため、図６（ａ）、（ｂ）に示すように、スライドフレーム３１，３２は、互いに逆方向に同量だけ移動可能となる。
【００２８】
次に、スライドフレームと外装ケースの取付構造について説明する。
図７は、右側のスライドフレーム３２と外装ケース５２の取り付け構造を示す斜視図である。なお、図７では、スライドフレーム３２の上下に位置する底板４１，天板４２（図３）は省略する。
【００２９】
外装ケース５２は双眼鏡幅方向内側に開口した箱型に形成されている。外装ケース５２の前端には鉛直壁５２１が形成され、対物光学系の第１レンズ１１Ｒ（図２）に入射光を導くための開口５２２が形成されている。一方、外装ケース５２の後端は全体が開口となっており、当該開口の双眼鏡幅方向内側の周縁には、後端カバー５２９を取り付けるための外縁部５２３が形成されている。
【００３０】
スライドフレーム３２の一対の起立部３２３，３２４のうち、前方の起立部３２３には、前方に向けて水平に突出し、外装ケース５２の壁５２１に当接する当接部３４６が形成されている。また、接眼側の起立部３２４は後方に向けて屈曲され、屈曲部の上下端が外装ケース５２の外縁部５２３に当接する当接部３４７となっている。
【００３１】
さらに、起立部３２３にはねじ孔３４８が形成され、ねじ孔３４８に対応する外装ケース５２の所定箇所には貫通孔５２４が形成されている。また、起立部３２４にはねじ孔３２４ａが形成され、外装ケース５２の外縁部５２３にはめ込まれる後端カバー５２９には、ねじ孔３２４ａに対応する箇所に貫通孔５２６が形成されている。そして、側壁部３２１の所定箇所にはねじ孔３４９が形成され、ねじ孔３４７に対応する外装ケース５２の所定箇所には、貫通孔５２５が形成されている。
【００３２】
このように、スライドフレーム３２と外装ケース５２とは、当接部３４６，３４７と壁５２１及び外縁部５２３との当接、及びねじ孔３４８，３２４ａ，３４９へのねじの締め付けによって固定される。つまり、スライドフレーム３２の上下には底板４１と天板４２が位置するため、スライドフレーム３２の上下以外の箇所、即ち、前後端と側端において、スライドフレーム３２と外装ケース５２とが固定される。なお、左側の鏡体２１とスライドフレーム３１も、同様に固定される。
【００３３】
このように構成されているため、スライドフレーム３１，３２と外装ケース５１，５２により構成される左右の鏡体２１，２２は、横Ｈ型の支持フレーム２５に支持され、図８（ａ）、（ｂ）に概略断面図として示す如く、支持フレーム２５に対して対称にスライドする。
【００３４】
本実施形態の双眼鏡では、スライドフレーム３１，３２と外装ケース５１，５２よりなる左右の鏡体（ケーシング）２１，２２が、夫々箱体（殻）を構成するため、剛性の高い構造が得られる。なお、左右の鏡体２１，２２の剛性をより高くするため、スライドフレーム３１，３２及び外装ケース５１，５２は金属で構成されている。
【００３５】
また、左右の鏡体２１，２２が、底板４１と天板４２及び中央支持体４５よりなる横Ｈ型の支持フレーム２５に支持されるため、図８（ｂ）に示すように、左右の鏡体２１，２２の間隔を広げた状態でも、双眼鏡１全体の剛性が保たれる。なお、双眼鏡１全体の剛性をより高くするため、底板４１と天板４２は金属で構成されている。
【００３６】
次に、左右の鏡体において光学系を保持するための構成について説明する。
本実施形態の双眼鏡は、図２に示す左右の望遠光学系１０Ｌ，１０Ｒのうち、補助プリズム１２Ｌ，１２Ｒから接眼レンズ１５Ｌ，１５Ｒまでの部分を左右夫々移動可能なユニットとし、当該ユニットを光軸ＯＡL，ＯＡRに沿って移動させることによって接眼部の収納／突出及び焦点調整を行うよう構成されている。
【００３７】
そのため、図３に示すスライドフレーム３１，３２には、各プリズム及びレンズを保持すると共に、光軸に沿って移動可能な左右一対の移動ユニット６ａ，６ｂ（図３では省略）が設けられる。図９及び図１０は右側の移動ユニット６ｂを示す分解斜視図及び平面図である。なお、左側の移動ユニット６ａは、右側の移動ユニット６ｂと双眼鏡幅方向の中心に対し対称に構成されている。
【００３８】
図９に示すように、右側の移動ユニット６ｂは、プリズム（後述）を保持するプリズムホルダ６４と、レンズ（後述）を保持するレンズホルダ６６、及びこれらを支持する移動体６２により構成されている。レンズホルダ６６の先端には接眼部の外装部材である化粧環６８が取り付けられ、化粧環６８の先端には目当てゴム６８ａが設けられている。
【００３９】
移動体６２は、プリズムホルダ６４を載置するベース板６２ａと、ベース板６２ａの後端及び左端に設けられた２つの鉛直壁６２ｂ，６２ｃよりなっている。２つの鉛直壁６２ｂ，６２ｃは平面視でＬ字状のフレームを形成し、鉛直壁６２ｂにはレンズホルダ６６が後方から取り付けられる。
【００４０】
鉛直壁６２ｃには、スライドフレーム３２の案内軸３２５を挿通させるための挿通孔６２１，６２２が形成され、鉛直壁６２ｂの右端にはスライドフレーム３２の側壁部３２１に上方から接する当接部６２３が設けられている。かくして、図１０に示すように、移動体６２は、スライドフレーム３２に対し、前後方向に移動可能に支持される。
【００４１】
ここで、図１１に、移動体６２を右後方から見た斜視図として示すように、移動体６２のベース板６２ａの右端には、スライドフレーム３２の側壁部３２１に下方から当接するよう上方に向けて屈曲形成された当接片６２６が設けられている。スライドフレーム３２に移動体６２を取り付けると、当接片６２６は僅かに弾性変形した状態で側壁部３２１の下方に当接する。即ち、移動体６２の当接部６２３と当接片６２６が上下から側壁部３１２を挟み込む。これにより、移動体６２の案内軸３２５回りに回転が防止される。
【００４２】
また、案内軸３２５と挿通孔６２１，６２２（図９）との間のクリアランスによるがたを除去するため、鉛直壁６２ｃの上端には、天板４２（図３）に摺接する摺接部６２７が設けられている。摺接部６２７は、長手方向一端が固定され他端が自由端であるレバー形状に形成されており、摺接部６２７の自由端近傍には上方に突出する突起６２７ａが設けられている。摺接部６２７が僅かに下方に弾性変形した状態で、突起６２７ａが天板４２（図３）に下方から当接する。移動体６２の移動に伴い、摺接部６２７（の突起６２７ａ）と天板４２（図３）の下面とが摺接し、上記のがたが除去される。
【００４３】
なお、スライドフレーム３２の前方には、対物光学系の第１レンズ１１Ｒを保持する第１レンズ枠１９が、視度差調整のため光軸方向に移動可能に支持されているが、これについては後述する。
【００４４】
図１２は、双眼鏡１の内部構成を示す断面図である。図１２に示すように、左右のプリズムホルダ６３，６４には、補助プリズム１２Ｌ，１２Ｒとダハプリズム１３Ｌ，１３Ｒが保持されている。又、左右のレンズホルダ６５，６６には、対物光学系の第２レンズ１４Ｌ，１４Ｒ、接眼レンズ１５Ｌ，１５Ｒ、及び視野環１６Ｌ，１６Ｒが保持されている。
【００４５】
左右の移動体６１，６２からは双眼鏡幅方向中央部に向けてアーム６１４，６２４が延びており、双眼鏡幅方向中央部には、アーム６１４，６２４を光軸方向に駆動するための焦点調整用駆動機構７０が設けられている。焦点調整用駆動機構７０には、焦点調整用の操作部材である転輪７１が設けられ、転輪７１の内部には駆動環７１ａが固定され、駆動環７１ａの内面には２つの突起７６，７７が設けられている。
【００４６】
また、駆動環７１ａの内部には、突起７６，７７に係合するねじ溝を有するねじ７３が設けられている。ねじ７３の先端には、ねじ７３が軸回りに回転しないよう前後方向に案内するスライダ７４が取り付けられ、転輪７１を回転すると、ねじ７３及びスライダ７４が直進移動する。そして、スライダ７４に設けられた後述のレバー７５を介してアーム６１４，６２４が前後に移動し、移動体６１，６２を移動させる。なお、焦点調整用駆動機構７０の詳細については後述する。
【００４７】
図１２に示す状態では、第１レンズ１１Ｌ，１１Ｒと移動ユニット６ａ，６ｂとは最も近接した状態にある。この状態では、移動ユニット６ａ，６ｂは後端部を残して双眼鏡１の外装ケース５１，５２内に収納されている。
【００４８】
図１３に、移動ユニット６ａ，６ｂが第１レンズ１１Ｌ，１１Ｒから最も離間した状態を示す。図１３に示す状態では、移動ユニット６ａ，６ｂの接眼レンズ１５Ｌ，１５Ｒ、化粧環６７，６８、及び目当てゴム６７ａ，６８ａが双眼鏡１の外装ケース５１，５２から後方（観察者側）に突出する。
【００４９】
実施形態の双眼鏡は、図１２に示すように移動ユニット６ａ，６ｂが最も第１レンズ１１Ｌ，１１Ｒに近接した状態（収納状態）では観察不能である。このように、接眼光学系を含む移動ユニット６ａ，６ｂが、観察不能状態（収納状態）になるまで第１レンズ１１Ｌ，１１Ｒに近接し得るよう構成されているため、双眼鏡１は未使用時にそれだけ小型になる。
【００５０】
図１２に示す状態から移動ユニット６ａ，６ｂを後方に所定量Ｓ１だけ移動させた状態で、−４ディオプターの近視において無限遠物体（無限遠に置かれた物体）に焦点が合う。移動ユニット６ａ，６ｂは、（−４ディオプターの近視において）無限遠物体に焦点が合った位置から、最大所定量Ｓ２だけ移動可能である。この範囲では、−４ディオプターの近視において、無限遠及び近距離側にある物体に焦点が合う。
無限遠及び近距離にある物体に焦点が合う移動ユニット６ａ，６ｂの位置の範囲を「観察可能範囲」とする。この観察可能範囲（Ｓ２）内で移動ユニット６ａ，６ｂを移動調節することにより、所望の物体に対する焦点調整が行われる。
【００５１】
ここで、実施形態の双眼鏡では、−４ディオプターの近視において無限遠物体あるいは近距離物体に焦点が合う移動ユニット６ａ，６ｂの位置の範囲を「観察可能範囲」としているため、より軽い近視（−４〜０ディオプター）、正視（０ディオプター）あるいは遠視の場合には、移動ユニット６ａ，６ｂを観察可能範囲（Ｓ２）内で調節することによって、無限遠及び近距離にある物体に対して焦点を合わせることができる。
【００５２】
なお、本実施形態では、移動ユニット６ａ，６ｂの全ストロークＳは１１ミリに設定され、収納状態から観察可能状態までの移動ストロークＳ１は７ミリ、観察可能範囲における焦点調整のための移動ストロークＳ２は４ミリに設定されている。
【００５３】
次に焦点調整用駆動機構７０について説明する。図１４は、焦点調整用駆動機構７０を示す斜視図である。ねじ７３は前後方向に延びる支軸７２により貫通支持されている。ねじ７３の先端に設けられたスライダ７４には、中央支持体４５の内部に設けられた案内レール４５ａに案内されるコーナー部７４ａが形成され、コーナー部７４ａと案内レール４５ａとの摺動によって、スライダ７４（及びねじ７３）は前後方向に直進移動可能になる。
【００５４】
中央支持体４５の両側面には、左右の移動体６１，６２のアーム６１４，６２４を左右両側から挿入するためのスリット４５ｂ，４５ｂが形成されている。また、スライダ７４には、下方に向けて延びるレバー７５が取り付けられる。このレバー７５が、スリット４５ｂ，４５ｂから中央支持体４５の内部に挿入されたアーム６１４，６２４の溝６１５，６２５に上方から係合する。
【００５５】
このように、転輪７１の回転に伴い、レバー７５と溝６１５，６２５との係合によって、左右の移動体６１，６２が前後方向に移動する。なお、眼幅調整によるスライドフレーム３１，３２の移動に伴い、移動体６１，６２も左右方向に移動するため、溝６１５，６２５は移動体６１，６２の左右方向の移動を許容できるよう十分長く形成されている。
【００５６】
図１５及び図１６は、ねじ７３の側面図及び転輪７１の断面図である。
ねじ７３は２条ねじであり、その溝７３ａ，７３ｂは、接眼部の収納／突出に相当する領域Ａ（図１２のＳ１に相当）ではリードが大きく、焦点調整に相当する領域Ｂ（図１２のＳ２に相当）ではリードが小さくなるよう形成されている。本実施形態では領域Ａのリードは１６ミリ、領域Ｂのリードは８ミリである。
【００５７】
図１６に示すように、転輪７１の内部には設けられた駆動環７１ａには、頂角１２０°を持つ円錐形状のピン７６，７７が形成されている。ピン７６，７７は、１２０°のＶ字断面を有するねじ７３の溝７３ａ，７３ｂ（図１５）に係合する。これにより、ピン７６，７７が、夫々溝７３ａ，７３ｂの領域Ａから領域Ｂに移る際に、スムースに摺動することができる。このように、ねじ溝のリードを変化させることによって、転輪７１の回転量に対する移動体６１，６２の移動量を変化させることができる。即ち、接眼部の収納／突出はすばやく行い、焦点調整は細かく正確に行うことが可能になる。
【００５８】
次に、スライドフレームによる移動体の支持構造について説明する。図９に示すように、スライドフレーム３２において、移動体６２を取り付ける部分は開口３２２となっている。そして、移動体６２は（案内軸３２５及び側壁部３２１によって）移動体６２の底以外の部分で支持される。そのため、図１７に図１２の双眼鏡１のＡ−Ａ断面図として示すように、移動体６１，６２は、移動体６１，６２の底６１８，６２８がスライドフレーム３１，３２の底と一致するように、スライドフレーム３１，３２に取り付けることができる。
【００５９】
このように構成することによって、スライドフレーム３１，３２の上に移動体６１，６２を載せた場合に比べ、双眼鏡１の厚さ方向の寸法をスライドフレーム３１，３２の厚さ分だけ小さくすることができる。即ち、それだけ双眼鏡１をコンパクトにすることができる。
【００６０】
以上説明したように、本実施形態の双眼鏡によると、両鏡体２１，２２が双眼鏡１の幅方向中心部に対して対称にスライドするため、双眼鏡１の幅方向中央部に配置された焦点調整用の転輪７１が、両鏡体２１，２２の間隔の変化に係わらず常に双眼鏡１の幅方向中央部に位置する。従って、右利き、左利きのいずれの観察者にとっても転輪が操作し易い。
【００６１】
また、双眼鏡の未使用時には、接眼レンズ１５Ｌ，１５Ｒを含む移動ユニット６ａ，６ｂを、観察不能状態になるまで第１レンズ１１Ｌ，１１Ｒに接近させることができる。即ち、未使用時の双眼鏡の光軸方向の寸法をそれだけ小さくすることができ、携帯性が向上する。また、接眼部の収納／突出と焦点調節とを同一の機構（即ち、移動体６１、６２の光軸方向への移動）で行うよう構成したため、接眼部の収納／突出と焦点調整を別々の駆動機構で行う場合に比べて、構成が簡単になる。
【００６２】
次に、視度差調整のための構成について説明する。
実施形態の双眼鏡１は、図１８に示すように、双眼鏡１下面の幅方向中央部に円板形状の視度差調整つまみ９０を備えている。この視度差調整つまみ９０は、光軸と直交する軸の回りで回転操作されるよう構成されている。
また、実施形態の双眼鏡１は、左側の対物光学系の第１レンズ１１Ｌ（図２）を固定し、右側の対物光学系の第１レンズ１１Ｒ（図２）を光軸方向に移動することにより、視度差調整を行うよう構成されている。
【００６３】
図１０に示すように、スライドフレーム３２の前方には、右側の第１レンズ１１Ｒを保持する第１レンズ枠１９が取り付けられる。第１レンズ枠１９には、案内軸３２５を挿通させるための挿通孔１９１、及びスライドフレーム３２の側壁部３２１に上方から接する突起１９２が設けられており、スライドフレーム３２に前後方向に移動可能に支持されている。
【００６４】
右側の第１レンズ１１Ｒは、中央支持体４５（図１０では省略）に設けられた羽根部材８１により移動される。羽根部材８１には、双眼鏡幅方向に延びる係合溝８１ａが形成され、第１レンズ枠１９の上面に形成された２つのピン１９３，１９３に係合している。なお、ピン１９３，１９３は双眼鏡幅方向に配列されており、ピン１９３，１９３と係合溝８１ａとの係合によって、第１レンズ１１Ｒの光軸の傾きずれが防止される。
【００６５】
図１９は、視度差調整つまみ９０の回転により羽根部材８１を移動させる視度差調整用駆動機構８０を下方から見た斜視図である。視度差調整つまみ９０の回転を羽根部材８１の直進運動に変換するため、視度差調整つまみ９０の上部には、視度差調整つまみ９０の回転中心に対し所定量偏心して駆動ピン９１が立設されている。そして、この駆動ピン９１に係合する凹部を有する駆動部材８３が、羽根部材８１と一体的に軸７２に沿って移動可能に設けられている。
【００６６】
図２０は、視度差調整つまみ９０の回転操作による駆動部材８３の動作を示す図である。なお、図２０では、分かり易くするため、駆動部材８３と視度差調整つまみ９０を真下から見た状態で別々に示す。図２０（ａ）に示すように、視度差調整つまみ９０が基準位置にセットされている状態では、駆動ピン９１は視度差調整つまみ９０の回転中心に対し横方向（双眼鏡幅方向）に並んだ状態にある。
【００６７】
図２０（ａ）の状態から、図２０（ｂ）に示すように視度差調整つまみ９０を時計回りに回転させると、駆動ピン９１は視度差調整つまみ９０の回転中心よりも前方に移動し、駆動部材８３を前進させる。即ち、羽根部材８１を前方に移動させる。また、図２０（ｃ）に示すように、視度差調整つまみ９０を反時計回りに回転させると、駆動ピン９１は視度差調整つまみ９０の回転中心よりも後方に移動し、駆動部材８３を後退させる。即ち、羽根部材８１を後方に移動させる。
【００６８】
このように、視度差調整つまみ９０を光軸と直交する軸の回りに回転可能に設けることができるため、図１８に示すように視度差調整つまみ９０を双眼鏡１の下面に設けることが可能になる。これにより、操作が簡単で且つスペースを取らないという効果を奏するものである。
【００６９】
さらに、図２１に双眼鏡１の部分断面図として示すように、視度差調整つまみ９０の表面は、外装ケース５１（５２）の外表面と一致しており、当該外表面よりも突出するのは「・」「＋」「−」などの記号（図２０）及び放射状に設けられたローレット（図２０）のみである。このように構成されているため、双眼鏡１全体がコンパクトになる。また、「・」「＋」「−」等の記号及びローレットと指とのグリップにより、視度差調整つまみ９０を指で容易に回転操作することができる。
【００７０】
実施形態の双眼鏡は、双眼鏡の工場出荷前あるいは部品交換後の視度差の微調整を可能にするために、図１９及び図２０における駆動部材８３と羽根部材８１との光軸方向の位置関係が調整可能となっている。
【００７１】
即ち、図１９に示すように、羽根部材８１には、駆動部材８３の前方に面する板状部位９５が設けられ、ねじ９３が板状部位９５を通して駆動部材８３にねじ込まれ、さらにねじ９３の周囲にばね９６が配置されている。即ち、ねじ９３を締めるあるいは緩めると、駆動部材８３に対する羽根部材８１の光軸方向の相対位置を微調整することができる。
【００７２】
ねじ９３を操作するための工具を挿通するため、図２１に示すように、中央支持体４５には工具用挿通孔９７が形成され、該挿通孔９７は中央支持体４５の前面の化粧シール９８に隠れている。そのため、両鏡体２１，２２の間隔を広げ（図１８）、化粧シール９８を剥がして、工具挿通孔９７から工具を挿通することにより、ねじ９３を回転させ、視度差の微調整を行うことができる。
【００７３】
図２２に、微調整による駆動部材８３と羽根部材８１の位置の変化を示す。工具を時計回りに回動させると、ねじ９３が駆動部材８１のねじ部にねじ込まれるため、図２２（ａ）に示すように、羽根部材８１は板状部位９５に対して後方に移動する。また、工具を反時計回りに回動させると、ねじ９３が駆動部材８１のねじ部にねじ込まれるため、図２２（ｂ）に示すように、羽根部材８１は板状部位９５に対して前方に移動する。このように、羽根部材８３と駆動部材８１との位置関係を双眼鏡１の外部から調整できるため、視度差調整つまみ９０による調整範囲の中間位置「・」を合わせる調整を行うことが可能となる。
【００７４】
最後に、本発明の特徴部分と実施形態との関係について説明する。
図１２に示すように、プリズム１２Ｒ，１３Ｒを保持するプリズムホルダ６４と、第２レンズ１４Ｒ及び接眼レンズ１５Ｒを保持するレンズホルダ６６は移動体６２に取り付けられている。そして、図１０に示すように、第１レンズ１１Ｒを保持する第１レンズ枠１９及び移動体６２は、一本の案内軸３２５により直進案内・支持されている。
従って、焦点調整及び視度差調整により第１レンズ枠１９及び移動体６２が移動しても、第１レンズ１１Ｒ、プリズム１２Ｒ，１３Ｒ、第２レンズ１４Ｒ及び接眼レンズ１５Ｒの相互の光軸のずれが防止される。
【００７５】
【発明の効果】
以上説明したように、本発明の双眼鏡によると、対物光学系の所定のレンズを保持する第１の保持部材と、正立光学系を保持する第２の保持部材と、少なくとも接眼光学系を保持する第３の保持部材とが直線軸状に延びる共通の支持部材により支持されるため、焦点調整等により各位保持部材が移動した場合にも、対物光学系の上記所定のレンズ、正立光学系、及び接眼光学系の光軸のずれが防止される。
【図面の簡単な説明】
【図１】本実施形態の双眼鏡の斜視図である。
【図２】図１の双眼鏡の光学系を示す図である。
【図３】図１の双眼鏡の分解斜視図である。
【図４】スライドフレームと底板を示す斜視図である。
【図５】スライドフレームを底板に取り付けた状態を示す斜視図である。
【図６】スライドフレームのスライド動作を示す斜視図である。
【図７】スライドフレームへの外装ケースの取付構造を示す斜視図である。
【図８】左右の鏡体のスライド動作を示す断面図である。
【図９】移動ユニットの構造を示す斜視図である。
【図１０】移動ユニットの構造を示す斜視図である。
【図１１】移動体を示す斜視図である。
【図１２】双眼鏡の内部構造を示す平面図である。
【図１３】双眼鏡の内部構造を示す平面図である。
【図１４】操作部を示す分解斜視図である。
【図１５】ねじを示す平面図である。
【図１６】転輪を示す断面図である。
【図１７】双眼鏡の内部構造を示す断面図である。
【図１８】視度調整つまみを示す斜視図である。
【図１９】視度調整機構を示す斜視図である。
【図２０】視度差調整による羽根部材の動作を示す概略図である。
【図２１】双眼鏡の部分断面図である。
【図２２】視度差の微調整方法を示す概略図である。
【符号の説明】
１              双眼鏡
１１Ｌ，１１Ｒ  第１レンズ
１２Ｌ，１２Ｒ  補助プリズム
１３Ｌ，１３Ｒ  ダハプリズム
１４Ｌ，１４Ｒ  第２レンズ
１５Ｌ，１５Ｒ  接眼レンズ
２１，２２      鏡体
２５            支持フレーム
３１，３２      スライドフレーム
３１０ａ，３１０ｂ，３２０ａ，３２０ｂ  案内溝
３６            ピニオン
４１            底板
４１３，４１４，４１５，４１６  ピン
４２            天板
４５            中央支持体
５１，５２      外装ケース
６１，６２      移動体
６１４，６２４  アーム
７０            焦点調整用駆動機構
７１            転輪
７３            ねじ
８０            視度差調整用駆動機構
８１            羽根部材
９０            視度差調整つまみ
９１            駆動ピン
【図１】
0003641640.tif 000002
【図２】
0003641640.tif 000003
【図３】
0003641640.tif 000004
【図４】
0003641640.tif 000005
【図５】
0003641640.tif 000006
【図６】
0003641640.tif 000007
【図７】
0003641640.tif 000008
【図８】
0003641640.tif 000009
【図９】
0003641640.tif 000010
【図１０】
0003641640.tif 000011
【図１１】
0003641640.tif 000012
【図１２】
0003641640.tif 000013
【図１３】
0003641640.tif 000014
【図１４】
0003641640.tif 000015
【図１５】
0003641640.tif 000016
【図１６】
0003641640.tif 000017
【図１７】
0003641640.tif 000018
【図１８】
0003641640.tif 000019
【図１９】
0003641640.tif 000020
【図２０】
0003641640.tif 000021
【図２１】
0003641640.tif 000022
【図２２】
0003641640.tif 000023